【手続補正書】
【提出日】平成16年9月14日(2004.9.14)
【手続補正１】
【補正対象書類名】明細書
【補正対象項目名】０００３
【補正方法】変更
【補正の内容】
【０００３】
ＢＳデジタル放送では、ＢＳアナログ放送でアナログ方式を使用していた映像信号が、デジタル圧縮方式であるＭＰＥＧ２方式となり、また、オーディオ信号は、ＢＳアナログ方式で使用されていたデジタルＰＣＭ（Pulse Code Modulation）信号からデジタルオーディオ圧縮方式であるＭＰＥＧ２ ＡＡＣ（MPEG2 Advanced Audio Coding）信号となっている。ＭＰＥＧ２ ＡＡＣは、マルチチャンネルオーディオを圧縮して伝送することができるので、ＢＳアナログ放送のＰＣＭ信号の２チャンネル再生とは異なり、映画などで、より臨場感あふれるオーディオ再生が可能となっている。
【手続補正２】
【補正対象書類名】明細書
【補正対象項目名】０００７
【補正方法】変更
【補正の内容】
【０００７】
また、ＢＳデジタルチューナ内蔵ＴＶにおいて、ＢＳデジタル放送を受信する場合、ＢＳデジタル放送電波をＢＳデジタルチューナで受信して復調し、得られた映像信号がＢＳデジタルチューナ内蔵ＴＶの画面に表示される。オーディオ信号は、ＢＳデジタルチューナ内蔵ＴＶに内蔵されている２チャンネルのスピーカから再生するか、ＢＳデジタルチューナ内蔵ＴＶのデジタル出力端子をＡＶコントロールアンプのデジタル入力端子に接続し、ＡＶコントロールアンプに接続されているスピーカから再生する。このとき、ＢＳデジタルチューナ内蔵ＴＶのデジタル出力端子から出力されるオーディオ信号はＭＰＥＧ２ ＡＡＣ信号となるので、接続されるＡＶコントロールアンプは、ＭＰＡＧ２ ＡＡＣ信号を復号（デコード）することができるＡＶコントロールアンプであり、ＡＶコントロールアンプでＭＰＡＧ２ ＡＡＣ信号がデコードされて得られたマルチチャンネルオーディオ信号が、ＡＶコントロールアンプに接続されているスピーカから再生される。
【手続補正３】
【補正対象書類名】明細書
【補正対象項目名】０００８
【補正方法】変更
【補正の内容】
【０００８】
このように、地上波放送およびＢＳデジタル放送に対応したＢＳデジタルチューナ内蔵ＴＶからのオーディオ信号をＡＶコントロールアンプに接続されているスピーカから再生する場合、地上波放送用のアナログオーディオ信号およびＢＳデジタル放送用のデジタルオーディオ信号（ＭＰＥＧ２ ＡＡＣ信号）が入力されるようにするために、ＢＳデジタルチューナ内蔵ＴＶのアナログ出力端子およびデジタル出力端子を、各々、ＡＶコントロールアンプのアナログ入力端子およびデジタル入力端子に同時に接続する必要がある。そして、ＡＶコントロールアンプにおいて、アナログ入力端子から入力される地上波放送用のアナログオーディオ信号を再生するか、デジタル入力端子から入力されるＢＳデジタル放送用のＭＰＥＧ２ ＡＡＣ信号を再生するかによって、内部の信号経路を選択する必要がある。
【手続補正４】
【補正対象書類名】明細書
【補正対象項目名】００１７
【補正方法】変更
【補正の内容】
【００１７】
また、第１の信号経路選択方法を採用して、ＢＳデジタルチューナ内蔵ＴＶからのアナログオーディオ入力に応じた信号経路が選択されているときに、ＢＳデジタルチューナ内蔵ＴＶ側で地上波放送からＢＳデジタル放送を受信するように切り替えた場合、ＢＳデジタルチューナ内蔵ＴＶのデジタル出力端子からＢＳデジタル放送のＭＰＥＧ２ ＡＡＣ信号が出力されてくる。これをＡＶコントロールアンプで再生するためには、ユーザは、第１の信号経路選択方法により、ＡＶコントロールアンプを操作して、ＢＳデジタルチューナ内蔵ＴＶからのデジタルオーディオ入力に応じた信号経路が選択されるように切り替え直さなければならず、切り替えなければ、ＭＰＥＧ２ ＡＡＣ信号をＡＶコントロールアンプでデコードすることができなくなり、マルチチャンネルオーディオの再生ができなくなる。
【手続補正５】
【補正対象書類名】明細書
【補正対象項目名】００２４
【補正方法】変更
【補正の内容】
【００２４】
例えば、上記アナログ入力端子および上記デジタル入力端子が、各々、１台のＢＳデジタルチューナ内蔵ＴＶのアナログ出力端子およびデジタル出力端子と接続されている場合に、ＢＳデジタルチューナ内蔵ＴＶ側でＢＳデジタル放送から地上波放送を受信するように切り替えたときには、それまで上記デジタル入力端子から入力されていたＭＰＥＧ２ ＡＡＣ信号がＰＣＭ無音信号に変わるが、本発明のオーディオ再生装置によれば、アナログオーディオ信号に応じた信号経路に自動的に切り替わることとなるので、地上波放送用のアナログオーディオ信号が再生されて、ＰＣＭ無音信号が再生されることがなくなる。そして、ＢＳデジタルチューナ内蔵ＴＶ側で地上波放送からＢＳデジタル放送を受信するように切り替えたときには、それまで上記デジタル入力端子から入力されていたＰＣＭ無音信号がＭＰＥＧ２ ＡＡＣ信号に変わるが、本発明のオーディオ再生装置によれば、デジタルオーディオ信号に応じた信号経路に自動的に切り替わることとなるので、ＢＳデジタル放送用のデジタルオーディオ信号（ＭＰＥＧ２ ＡＡＣ信号）が再生される。
【手続補正６】
【補正対象書類名】明細書
【補正対象項目名】００３５
【補正方法】変更
【補正の内容】
【００３５】
本実施形態に係るＡＶコントロールアンプで扱うデジタルオーディオ信号には、ＰＣＭオーディオと非ＰＣＭオーディオのビットストリームとがあり、非ＰＣＭオーディオのビットストリームには、ＤＯＬＢＹ ＤＩＧＩＴＡＬ（登録商標），ＤＴＳ（登録商標），ＭＰＥＧ２ ＡＡＣ等がある。
【手続補正７】
【補正対象書類名】明細書
【補正対象項目名】００４９
【補正方法】変更
【補正の内容】
【００４９】
また、このようにして、非ＰＣＭオーディオのビットストリームであると判断した場合に、さらに、Ｐｃのｂｉｔ４〜ｂｉｔ０に記録されているｄａｔａ＿ｔｙｐｅを調べることにより、非ＰＣＭオーディオのビットストリームの種類を識別することができる。すなわち、ＢＳデジタル放送用のＭＰＥＧ２ ＡＡＣ信号であるか否かは、非ＰＣＭオーディオのビットストリームである場合に、Ｐｃのｄａｔａ＿ｔｙｐｅを調べることにより識別することができる。
【手続補正８】
【補正対象書類名】明細書
【補正対象項目名】００６０
【補正方法】変更
【補正の内容】
【００６０】
そこで、図４に示すように、ホストマイコン１２は、まず、主記憶に記憶されている付加情報から、デジタル入力部１からデジタル入力セレクタ２を介して入力されたデジタルオーディオ信号の種類を識別する（ステップＳ１）。ここでいう種類には、ＰＣＭ，ＰＣＭ無音，ＤＯＬＢＹ ＤＩＧＩＴＡＬ（登録商標），ＤＴＳ（登録商標），ＭＰＥＧ２ ＡＡＣ等が含まれる。
【手続補正９】
【補正対象書類名】明細書
【補正対象項目名】００６４
【補正方法】変更
【補正の内容】
【００６４】
以上説明したように、本発明の実施形態に係るＡＶコントロールアンプによれば、入力されたデジタルオーディオ信号の種類を識別し、識別の結果、ＰＣＭ無音信号が予め定めた時間だけ継続したと判断した場合に、ＡＶコントロールアンプ内部の信号経路を「アナログ」となるように設定するようにしているので、ＢＳデジタルチューナ内蔵ＴＶ側でＢＳデジタル放送から地上波放送を受信するように切り替えたときに、地上波放送用のアナログオーディオ信号が再生されて、ＰＣＭ無音信号が再生されることがなくなる。そして、ＢＳデジタルチューナ内蔵ＴＶ側で地上波放送からＢＳデジタル放送を受信するように切り替えたときには、ＡＶコントロールアンプ内部の信号経路が「デジタル」となるように設定され、ＢＳデジタル放送用のデジタルオーディオ信号（ＭＰＥＧ２ ＡＡＣ信号）が再生される。